(57)【要約】【課題】複数の章からなる用紙の束に対して、一見したときの章毎の判別性が向上された用紙の束を生成すること。【解決手段】複数の画像ページデータが複数に章分けされた画像データに基づいて用紙に画像形成を行なう画像形成部４３と、画像形成部４３により画像形成された複数の用紙を章分けされた冊子として生成する後処理部５０と、後処理部５０により冊子が生成される場合、当該冊子の見開き側端部に沿って付加され各章を識別する見出し画像データの位置を章単位に設定し、設定された当該見出し画像データを画像ページデータに合成して、画像形成部４３により用紙に画像形成を行なわせる制御部１１０と、を備えた画像形成装置１。【選択図】図２
2008268750.tif 000002
【特許請求の範囲】
【請求項１】
複数の画像ページデータが複数に章分けされた画像データに基づいて用紙に画像形成を行なう画像形成部と、
前記画像形成部により画像形成された複数の用紙を章分けされた冊子として生成する後処理部と、
前記後処理部により冊子が生成される場合、当該冊子の見開き側端部に沿って付加され各章を識別する見出し画像データの位置を章単位に設定し、設定された当該見出し画像データを前記画像ページデータに合成して、前記画像形成部により用紙に画像形成を行なわせる制御部と、
を備えた画像形成装置。
【請求項２】
前記制御部は、前記見出し画像データの位置を前記章分けの数に応じて設定する、
請求項１に記載の画像形成装置。
【請求項３】
前記後処理部は、前記複数の用紙を綴じて冊子を生成するステイプル部を有し、
前記制御部は、前記見出し画像データの位置を前記ステイプル部により複数の用紙が綴じられる綴じ位置に応じて設定する、
請求項１又は２に記載の画像形成装置。
【請求項４】
前記見出し画像データが前記冊子の見開き側端部に沿って配置され、かつ、冊子の厚さ方向に沿って当該厚さ方向と直交する方向に順次ずれた状態に配列される配列数の設定を指示する第１入力部を備え、
前記制御部は、前記第１入力部により設定された配列数に応じて、前記見出し画像データの位置を設定する、
請求項１から３のいずれか一項に記載の画像形成装置。
【請求項５】
前記後処理部により冊子が生成される場合、各章を識別する見出し画像データの位置の設定を章単位に指示する第２入力部を備え、
前記制御部は、前記第２入力部により設定された前記見出し画像データの位置に応じた見出し画像データを前記画像ページデータに合成して、前記画像形成部により用紙に画像形成を行なわせる、
請求項１から４のいずれか一項に記載の画像形成装置。
【請求項６】
前記後処理部により冊子が生成される場合、各章を識別する見出し画像データのサイズの設定を章単位に指示する第３入力部を備え、
前記制御部は、前記第３入力部により設定された前記見出し画像データのサイズに応じた見出し画像データを前記画像ページデータに合成して、前記画像形成部により用紙に画像形成を行なわせる、
請求項５に記載の画像形成装置。
【発明の詳細な説明】
【技術分野】
【０００１】
本発明は、画像形成装置に関する。
【背景技術】
【０００２】
近年、複数の画像ページデータを複数の画像ページデータのグループ（以下、章と称す。）に分ける機能や、各画像ページデータに基づいて各用紙に画像を形成する場合、章毎に画像形成された用紙の束を識別できるように、章毎の画像形成された用紙の束の境に当該用紙とは異なる色の用紙（以下、合紙と称す。）を挿入する機能を備えた画像形成装置が知られている。
【０００３】
例えば、指定された原稿を用紙の表面に記録し、当該原稿以降の原稿を裏、表の順で記録を行なう章分け手段と、指定された原稿を特定の合紙用の用紙の表面へ記録する合紙手段とを設けた画像形成装置が開示されている（特許文献１参照）。
【０００４】
章を区切る合紙に対してスタンプを印字する機能を有し、当該スタンプの印字色を選択したカラーモードの色と同一の色（例えば、合紙以外の用紙の印字色とは異なる色）に設定したり、操作者によって任意の位置にスタンプの印字位置を設定可能な画像形成装置が開示されている（特許文献２参照）。
【特許文献１】特開平７−１３４７０号公報
【特許文献２】特開２００４−１１２２３６号公報
【発明の開示】
【発明が解決しようとする課題】
【０００５】
しかしながら、上述した従来の画像形成装置では、外見から章毎に画像形成された用紙を識別できるように合紙を用いているため、合紙の種類によっては、各章の区分の判別性が欠ける場合がある。また、合紙にスタンプを印字してもスタンプの印字位置はユーザが任意に設定するものであり煩雑であると共に、複数の章からなる複数の用紙が積載されている状態では、一見してスタンプを印字したことによる各章の区分の判別性は発揮されるものではない。
【０００６】
本発明の課題は、複数の章からなる用紙の束に対して、一見したときの章毎の判別性が向上された用紙の束を生成することである。
【課題を解決するための手段】
【０００７】
請求項１に記載の発明によれば、複数の画像ページデータが複数に章分けされた画像データに基づいて用紙に画像形成を行なう画像形成部と、前記画像形成部により画像形成された複数の用紙を章分けされた冊子として生成する後処理部と、前記後処理部により冊子が生成される場合、当該冊子の見開き側端部に沿って付加され各章を識別する見出し画像データの位置を章単位に設定し、設定された当該見出し画像データを前記画像ページデータに合成して、前記画像形成部により用紙に画像形成を行なわせる制御部と、を備えた画像形成装置が提供される。
【０００８】
請求項２に記載の発明によれば、請求項１に記載の画像形成装置において、前記制御部は、前記見出し画像データの位置を前記章分けの数に応じて設定する。
【０００９】
請求項３に記載の発明によれば、請求項１又は２に記載の画像形成装置において、前記後処理部は、前記複数の用紙を綴じて冊子を生成するステイプル部を有し、前記制御部は、前記見出し画像データの位置を前記ステイプル部により複数の用紙が綴じられる綴じ位置に応じて設定する。
【００１０】
請求項４記載の発明によれば、請求項１から３のいずれか一項に記載の画像形成装置において、前記見出し画像データが前記冊子の見開き側端部に沿って配置され、かつ、冊子の厚さ方向に沿って当該厚さ方向と直交する方向に順次ずれた状態に配列される配列数の設定を指示する第１入力部を備え、前記制御部は、前記第１入力部により設定された配列数に応じて、前記見出し画像データの位置を設定する。
【００１１】
請求項５に記載の発明によれば、請求項１から４のいずれか一項に記載の画像形成装置において、前記後処理部により冊子が生成される場合、各章を識別する見出し画像データの位置の設定を章単位に指示する第２入力部を備え、前記制御部は、前記第２入力部により設定された前記見出し画像データの位置に応じた見出し画像データを前記画像ページデータに合成して、前記画像形成部により用紙に画像形成を行なわせる。
【００１２】
請求項６に記載の発明によれば、請求項５に記載の画像形成装置において、前記後処理部により冊子が生成される場合、各章を識別する見出し画像データのサイズの設定を章単位に指示する第３入力部を備え、前記制御部は、前記第３入力部により設定された前記見出し画像データのサイズに応じた見出し画像データを前記画像ページデータに合成して、前記画像形成部により用紙に画像形成を行なわせる。
【発明の効果】
【００１３】
請求項１に記載の発明によれば、冊子の見開き側端部に沿って付加され各章を識別する見出し画像データの位置を章単位に設定し、設定された当該見出し画像データを画像ページデータに合成して画像形成部により用紙に画像形成を行なわせることができるため、一見したときの章毎の判別性が向上された章分けされた冊子を生成することができる。
【００１４】
請求項２に記載の発明によれば、請求項１と同様の効果を得られるのは勿論のこと、見出し画像データの位置を章分けの数に応じて設定することができる。
【００１５】
請求項３に記載の発明によれば、請求項１又は２と同様の効果を得られるのは勿論のこと、見出し画像データの位置をステイプル部により複数の用紙が綴じられる綴じ位置に応じて設定することができる。
【００１６】
請求項４に記載の発明によれば、請求項１から３のいずれか一項と同様の効果を得られるのは勿論のこと、設定された配列数に応じて見出し画像データの位置を設定することができる。
【００１７】
請求項５に記載の発明によれば、請求項１から４のいずれか一項と同様の効果を得られるのは勿論のこと、各章を識別する見出し画像データの位置の設定を章単位に指示する第２入力部により、ユーザが章単位で任意の位置の見出し画像データを設定することができる。
【００１８】
請求項６に記載の発明によれば、請求項５と同様の効果を得られるのは勿論のこと、
各章を識別する見出し画像データのサイズの設定を章単位に指示する第３入力部により、ユーザが章単位で任意のサイズの見出し画像データを設定することができる。
【発明を実施するための最良の形態】
【００１９】
以下、図面を参照して本発明に係る実施の形態を詳細に説明する。ただし、発明の範囲は、図示例に限定されない。
【００２０】
先ず、図１及び図２を参照して、本実施の形態の装置構成を説明する。図１に、本実施の形態における画像形成装置１の概略断面構成図を示す。図２に、画像形成装置１の制御ブロック図を示す。
【００２１】
図１に示すように、画像形成装置１は、原稿から画像を読み取り、読み取った画像を用紙Ｐに画像形成したり、外部装置等から画像データを受信し画像データに基づいて画像を用紙Ｐ上に形成する画像形成部と、画像が形成された用紙に対して、パンチ処理、ステイプル処理、折り処理、断裁処理等を施す後処理装置等を備えたデジタル複合機である。図１に示すように、画像形成装置１は、画像読取部２０と、第１入力部、第２入力部、第３入力部としての操作表示部３０と、プリント部４０と、後処理装置５０と、を備えて構成される。
【００２２】
画像読取部２０は、ＡＤＦ（Auto Document Feeder）と称される自動原稿送り部２１と読取部２２とを備える。自動原稿送り部２１の原稿トレイＴ１に載置された原稿ｄは、読取部２２の読取個所であるコンタクトガラスに搬送され、読取部２２の光学系により原稿ｄの片面又は両面の画像が読み取られ、ＣＣＤ（Charge Coupled Device）２２ａにより原稿ｄの画像が読み取られる。ここで、画像とは、図形や写真等のイメージデータに限らず、文字や記号等のテキストデータ等も含む意である。
【００２３】
読取部２２により読み取られた画像（アナログ画像信号）は、後述する画像制御基板に出力され、画像制御基板においてＡ／Ｄ変換され各種画像処理が施された後、プリント部４０に出力される。
【００２４】
操作表示部３０は、ＬＣＤ（Liquid Crystal Display）、ＬＣＤを覆うように設けられたタッチパネル３１、その他図示しない操作キー群から構成され、ユーザの入力を受け付けその入力情報を画像制御基板に出力し、また、画像制御基板から入力される表示信号に従って、各種設定条件を入力するための各種設定画面や各種処理結果等を表示する。
【００２５】
操作表示部３０のタッチパネル３１上には、図３〜１１に示すような各種設定画面が表示される。図３に綴じ位置設定画面Ｇ１の例、図４に断裁設定画面Ｇ２の例、図５に章設定画面Ｇ３の例、図６（ａ）に段数設定画面Ｇ４の例、図７に見出し画像手動設定画面Ｇ５の例、図８に位置設定画面Ｇ６の例、図９にサイズ設定画面Ｇ７の例、図１０に使用トレイ設定画面Ｇ８の例、図１１に章単位用紙設定画面Ｇ９の例を示す。
【００２６】
図３に示す綴じ位置設定画面Ｇ１は、画像形成装置１に対して、画像形成された用紙に対して後処理装置５０が有するステイプル部においてステイプル処理を施すことにより、複数の用紙を綴じて冊子を生成させる場合、ステイプル部により複数の用紙が綴じられる綴じ位置の設定を行なう画面である。
【００２７】
図３に示すように綴じ位置設定画面Ｇ１には、複数の用紙が綴じられることにより生成される冊子を正面からみた場合、上部分を綴じる上綴じボタンＢ１１、右端部を綴じる右綴じボタンＢ１２、左端部を閉じる左綴じボタンＢ１３、キャンセルボタンＢ１４、ＯＫボタンＢ１５を有している。ＯＫボタンＢ１５が操作させることにより、Ｂ１１〜Ｂ１３のいずれか選択されたボタンが示す綴じ位置が設定される。
【００２８】
図４に示す断裁設定画面Ｇ２は、画像形成された用紙に対して後処理装置５０が有する断裁部において断裁処理を施すか否かの設定を行なう画面である。
図４に示すように断裁設定画面Ｇ２には、断裁処理を行わない設定を示す否断裁ボタンＢ２１、断裁処理を行う設定を示す断裁ボタンＢ２２、キャンセルボタンＢ２３、ＯＫボタンＢ２４を有している。ＯＫボタンＢ２４が操作させることにより、Ｂ２１又はＢ２２のいずれか一方の選択されたボタンが示す断裁処理の実行の可否が設定される。
【００２９】
図５に示す章設定画面Ｇ３は、章分け設定領域Ｅ１、見出しオーバーレイ設定領域Ｅ２、用紙変更領域Ｅ３を有している。章分け設定領域Ｅ１は、複数の画像ページデータからなる画像データを複数に章分けする設定を行なう画面である。
【００３０】
図５に示す章分け設定領域Ｅ１には、各章の先頭ページとなる画像ページデータのページ番号の入力を受け付ける章分けボタンＢ３１ａを複数有する章分けボタン群Ｂ３１、削除ボタンＢ３２、設定ボタンＢ３３を有する。いずれかの章分けボタンＢ３１ａを選択した後、各章の先頭ページとなる画像ページデータのページ番号が操作表示部３０のテンキーにより入力されることにより、選択された章分けボタンＢ３１ａにページ番号が表示され、章の先頭ページが設定される。章分け設定領域Ｅ１によって、複数の章分けボタンＢ３１ａにそれぞれ先頭ページが設定され、設定ボタンＢ３３が操作されることにより、複数の画像ページデータを複数に章分けする設定が行われる。なお、先頭ページが設定されている章分けボタンＢ３１ａが選択された後、削除ボタンＢ３２が操作されることにより、設定した先頭ページが削除され、設定された章分けが解除される。
【００３１】
図５に示す見出しオーバーレイ設定領域Ｅ２は、画像データにより画像形成された複数の用紙が章分けされた冊子として後処理装置５０により生成される場合、当該冊子の見開き側端部に沿って付加され各章を識別する見出し画像を形成する見出し画像データを各画像ページデータに合成させるＯＮボタンＢ３４ａと、見出し画像データを各画像ページデータに合成させないＯＦＦボタンＢ３４ｂとを有する。
【００３２】
見出し画像データとは、冊子の見開き側端部に沿って付加され各章を識別するための見出し画像を用紙に形成する画像のデータであり、設定されたサイズ（長さ及び幅）の画像のデータである。この見出し画像データにより形成される見出し画像としては、例えば、設定されたサイズ（長さ及び幅）の領域内にベタ、ハッチング、模様等が形成される画像を挙げることができる。
【００３３】
また、見出しオーバーレイ設定領域Ｅ２は、ＯＮボタンＢ３４ａが選択された場合に有効となる自動合成ボタンＢ３５ａと手動合成ボタンＢ３５ｂとを有する。
自動合成ボタンＢ３５ａは、段数設定画面Ｇ４を表示させると共に段数設定画面Ｇ４により設定された後述する段数、章数、綴じ位置等に応じて見出し画像データを画像ページデータに合成する際の位置及びサイズを画像形成装置１が設定するボタンである。手動合成ボタンＢ３５ｂは、見出し画像データを画像ページデータに合成する際の位置又はサイズをユーザが任意に設定する見出し画像手動設定画面Ｇ５を表示させるボタンである。
【００３４】
図６（ａ）に示す段数設定画面Ｇ４は、見出し画像データが冊子の見開き側端部に沿って配置され、かつ、冊子の厚さ方向に沿って当該厚さ方向と直交する方向に順次ずれた状態に配列される配列数（以下、段数という）の設定を指示する第１入力部としての機能を実現する画面である。段数設定画面Ｇ４には、段数の入力を受け付ける段数設定ボタンＢ４１、キャンセルボタンＢ４２、ＯＫボタンＢ４３を有する。段数設定ボタンＢ４１を選択した後、操作表示部３０のテンキーにより段数が入力され、ＯＫボタンＢ４３が操作されることにより段数が設定され、設定された段数は、見出しオーバーレイ設定領域Ｅ２の段数表示領域Ｅ２１に表示される。
【００３５】
図６（ｂ）、（ｃ）に、章分けされた冊子の側面図の例を示して、段数の例を説明する。
図６（ｂ）に示す冊子の側面図は、章数が６であり段数が１である場合の例であり、章毎に同じ位置及びサイズで各用紙に見出し画像が形成された各章の見出し画像形成箇所４ａ〜４ｆは、冊子の見開き側端部に沿って章単位で６箇所配置され、かつ冊子の厚さ方向に沿って当該厚さ方向と直交する方向に隣接する章の見出し画像形成箇所とは異なる位置（本実施の形態においては順次章毎にずれた状態）で１列に配列されている。
【００３６】
図６（ｃ）に示す冊子の側面図は、章数が６であり段数が２である場合の例であり、毎に同じ位置及びサイズで各用紙に見出し画像が形成された各章の見出し画像形成箇所４ａ〜４ｆは、冊子の見開き側端部に沿って章単位で３箇所配置され、かつ冊子の厚さ方向に沿って当該厚さ方向と直交する方向に隣接する章の見出し画像形成箇所とは異なる位置（本実施の形態においては順次章毎にずれた状態）で２列に配列されている。
【００３７】
図７に示す見出し画像手動設定画面Ｇ５は、各章を識別する見出し画像データの位置の設定を章単位で指示する第２入力部、見出し画像データのサイズの設定を章単位で指示する第３入力部としての機能を実現する画面である。
見出し画像手動設定画面Ｇ５には、章分け設定領域Ｅ１において設定された章を示す章ボタンＢ５１ａを複数有する章ボタン群Ｂ５１を有する。
【００３８】
また、章ボタン群Ｂ５１のうち選択された章ボタンＢ５１ａに対応する章の画像ページデータに合成される見出し画像データの位置を設定する位置設定画面Ｇ６を表示させる位置変更ボタンＢ５２と、選択された章ボタンＢ５１ａに対応する章の画像ページデータに合成される見出し画像データの位置を表示する位置表示領域Ｅ５１を有する。
【００３９】
更に、章ボタン群Ｂ５１のうち選択された章ボタンＢ５１ａに対応する章の画像ページデータに合成される見出し画像データのサイズを設定するサイズ設定画面Ｇ７を表示させるサイズ変更ボタンＢ５３と、選択された章ボタンＢ５１ａに対応する章の画像ページデータに合成される見出し画像データのサイズを表示するサイズ表示領域Ｅ５２を有する。
【００４０】
また、見出し画像手動設定画面Ｇ５には、章ボタン群Ｂ５１のうち選択された章ボタンＢ５１ａに対応する章の画像ページデータの用紙のサイズがｘｙ座標で表示され、当該座標上に見出し画像データの設定されている位置、サイズ（長さ及び幅）を表示する表示領域Ｅ５３を有している。表示領域Ｅ５３に表示されているＸは用紙の幅に基づく値を示し、Ｙは長さに基づく値を示しているものとする。
【００４１】
図８に示す位置設定画面Ｇ６は、見出し画像データのｘ座標の位置（ｘ１）を受け付けるｘ座標設定ボタンＢ６１ａ、見出し画像データのｙ座標の位置（ｙ１）を受け付けるｙ座標設定ボタンＢ６１ｂ、キャンセルボタンＢ６２、ＯＫボタンＢ６３を有する。
【００４２】
ｘ座標設定ボタンＢ６１ａを選択した後、操作表示部３０のテンキーによりｘ座標の値が入力され、また、ｙ座標設定ボタンＢ６１ｂを選択した後、操作表示部３０のテンキーによりｙ座標の値が入力され、ＯＫボタンＢ６３が操作されることにより見出し画像データの位置（ｘ１、ｙ１）が設定され、設定された位置は、見出し画像手動設定画面Ｇ５の位置表示領域Ｅ５１に表示される。
【００４３】
図９に示すサイズ設定画面Ｇ７は、見出し画像データのサイズとして長さを受け付ける長さ設定ボタンＢ７１ａ、見出し画像データの幅を受け付ける幅設定ボタンＢ７１ｂ、キャンセルボタンＢ７２、ＯＫボタンＢ７３を有する。
長さ設定ボタンＢ７１ａを選択した後、操作表示部３０のテンキーにより長さを示す値が入力され、また、幅設定ボタンＢ７１ｂを選択した後、操作表示部３０のテンキーにより幅を示す値が入力され、ＯＫボタンＢ７３が操作されることにより見出し画像データのサイズを示す長さ及び幅が設定され、設定されたサイズは、見出し画像手動設定画面Ｇ５のサイズ表示領域Ｅ５２に表示される。
【００４４】
更に、見出しオーバーレイ設定領域Ｅ２は、ＯＮボタンＢ３４ａが選択された場合に有効となり、画像ページデータを見出し画像データの位置及びサイズに応じて移動させる処理（シフト処理）の実行の可否を設定するシフトボタンＢ３６ａと、画像ページデータを見出し画像データの位置及びサイズに応じて縮小させる処理（縮小処理）の実行の可否を設定する縮小ボタンＢ３６ｂを有する。シフトボタンＢ３６ａが選択されるとシフト処理が実行され、縮小ボタンＢ３６ｂが選択されると縮小処理が実行され、シフトボタンＢ３６ａ及び縮小ボタンＢ３６ｂが共に選択されるとシフト処理及び縮小処理が実行されることとなる。
【００４５】
図５に示す用紙変更領域Ｅ３は、画像データにより複数の用紙の束からなる章が複数構成される冊子が後処理装置５０により生成される場合、隣接する章とは異なる種類の用紙に章単位で画像ページデータを画像形成させるＯＮボタンＢ３７ａと、章単位で用紙の種類を異ならせないＯＦＦボタンＢ３７ｂとを有する。
【００４６】
また、用紙変更領域Ｅ３は、ＯＮボタンＢ３７ａが選択された場合に有効となる自動変更ボタンＢ３８ａと手動変更ボタンＢ３８ｂとを有する。
自動変更ボタンＢ３８ａは、使用トレイ設定画面Ｇ８を表示させると共に設定されたトレイに格納されている用紙に応じて章単位の用紙の種類を画像形成装置１が設定するボタンである。手動変更ボタンＢ３８ｂは、各章単位変更ボタンＢ３９ａを有効にさせ章単位の用紙の種類をユーザが任意に設定するボタンである。
【００４７】
図１０に示す使用トレイ設定画面Ｇ８は、画像形成装置１が有する給紙トレイに格納されている用紙の種類を示す紙種及び色が表示され、かつ、選択可能なトレイボタンＢ８１ａが給紙トレイの数に応じて設けられたトレイボタン群Ｂ８１、キャンセルボタンＢ８２、ＯＫボタンＢ８３を有する。
トレイボタンＢ８１ａが選択されＯＫボタンＢ８３が操作されると、選択されたトレイボタンＢ８１ａに対応するトレイに格納されている用紙の種類に応じて、各章の画像ページデータが形成される用紙の種類が隣接する章とは異なる種類の用紙に設定される。
【００４８】
更に、用紙変更領域Ｅ３は、各章の用紙の種類を表示する章単位変更ボタンＢ３９ａが章の数に応じて設けられた章単位変更ボタン群Ｂ３９を有する。
各章単位変更ボタンＢ３９ａは、自動変更ボタンＢ３８ａが選択された場合には、画像形成装置１が設定した各章の用紙の種類を表示し、手動変更ボタンＢ３８ｂが選択された場合には、各章単位変更ボタンＢ３９ａが有効となり、各章単位変更ボタンＢ３９ａが選択されると各章の用紙の種類を設定する章単位用紙設定画面Ｇ９が表示される。
【００４９】
図１１に示す章単位用紙設定画面Ｇ９は、章単位変更ボタンＢ３９ａが選択された際に表示される画面であり、選択された章単位変更ボタンＢ３９ａに対応する章の画像ページデータを形成する用紙の紙種及び色を設定する画面である。
章単位用紙設定画面Ｇ９は、画像形成装置１の給紙トレイに格納されている用紙の紙種を表示し選択させる紙種選択ボタンＢ９１、紙種選択ボタンＢ９１において選択された紙種のうち選択可能な用紙の色を表示し選択させる色選択ボタンＢ９２、キャンセルボタンＢ９３、ＯＫボタンＢ９４を有している。
紙種選択ボタンＢ９１において用紙の紙種、色選択ボタンＢ９２において用紙の色が選択され、ＯＫボタンＢ９４が操作されると、選択された紙種及び色の用紙が当該画面を表示させた章単位変更ボタンＢ３９ａに表示されると共に、当該章単位変更ボタンＢ３９ａに対応する章の用紙として設定される。
【００５０】
なお、用紙の紙種とは、用紙の材質、製造工程に対するインクの吸収性及び浸透性、インク滴の拡散性、乾燥性等によって分類される。例えば、普通紙、コート紙、光沢紙等であり、用紙の色とは、当該紙種の材質等の特性に付随する色や、当該紙種に着色された色である。
【００５１】
プリント部４０は、入力されたプリントデータに基づいて、電子写真方式の画像形成処理を行うものであり、給紙部４１、給紙搬送部４２、画像形成部４３、搬出部４４を備えて構成される。
【００５２】
給紙部４１は、複数の給紙トレイ４１ａ、給紙手段４１ｂ、手差しトレイＴ２等を備える。給紙トレイ４１ａは、給紙トレイ４１ａ毎に色や紙種毎に予め識別された用紙Ｐが収容されており、給紙手段４１ｂによって用紙Ｐを最上部から一枚ずつ給紙搬送部４２に向けて搬送する。手差しトレイＴ２は、ユーザのニーズに合わせて様々な種類の用紙Ｐを積載可能となっており、給紙ローラによって積載された用紙Ｐを最上部から一枚ずつ給紙搬送部４２に向けて搬送する。
【００５３】
給紙搬送部４２は、給紙トレイ４１ａ又は手差しトレイＴ２から搬送された用紙Ｐを、複数の中間ローラ、レジストローラ４２ａ等を経て転写装置４３ａへと搬送する。
また、給紙搬送部４２は、搬送路切換板により、片面画像形成処理済みの用紙Ｐを両面搬送路に搬送し、再び中間ローラ、レジストローラ４２ａを経て転写装置４３ａへと搬送する。
【００５４】
画像形成部４３は、感光体ドラム、帯電装置、画像データに基づくレーザ光を出力するレーザ出力部とレーザ光を主走査方向に走査させるポリゴンミラーとを有する露光装置、現像装置、転写装置４３ａ、クリーニング部、定着装置４３ｂを備えている。具体的には、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置４３ａにおいて用紙Ｐに転写される。また、用紙Ｐにトナー像が転写された後、感光体ドラムの表面の残留トナー等は、クリーニング部により除去される。
【００５５】
定着装置４３ｂは、給紙搬送部４２によって搬送された用紙Ｐに転写されたトナー像を熱定着する。定着処理された用紙Ｐは、搬出部４４の排紙ローラに挟持されて搬出口から後処理装置５０へ搬送される。
【００５６】
後処理装置５０は、画像が形成された用紙のソート処理を行うソート部、パンチ処理を行うパンチ部、設定された綴じ位置に用紙の束を綴じるステイプル処理を行うステイプル部、折り処理を行う折り部、断裁処理を行う断裁部等を備える。各種処理が施された又は施されなかった用紙は、排紙トレイＴ３に排紙される。
【００５７】
図２に、画像形成装置１の制御ブロック図を示す。
図２に示すように、画像形成装置１は、本体部１ａとプリンタコントローラ１ｂと、本体部１ａに接続された後処理装置５０から構成されている。画像形成装置１は、プリンタコントローラ１ｂのＬＡＮＩＦ（Local Area Network InterFace）１４を介してネットワーク３上の外部装置２と相互に情報の送受信が可能に接続されている。
【００５８】
本体部１ａは、画像読取部２０、操作表示部３０、プリント部４０、画像制御基板１００を備えて構成される。なお、図１で説明した各部と同一の構成には、同一の符号を付してその説明を省略する。
【００５９】
画像制御基板１００は、制御部１１０、不揮発メモリ１２０、ＲＡＭ（Random Access Memory）１３０、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０から構成される。
【００６０】
制御部１１０は、ＣＰＵ（Central Processing Unit）等から構成され、不揮発メモリ１２０に格納されているシステムプログラム及び各種アプリケーションプログラムの中から指定されたプログラムを読み出してＲＡＭ１３０に展開し、ＲＡＭ１３０に展開されたプログラムとの協働で、各種処理を実行し、画像形成装置１の各部を集中制御する。
例えば、操作表示部３０や外部装置２から入力される指示信号に従って、コピーモード、プリンタモード、スキャナモードを切り替え、複写、プリント、画像データの読取等の制御を行う。
【００６１】
制御部１１０は、不揮発メモリ１２０から本実施の形態に係る見出し付冊子生成処理プログラムとＲＡＭ１３０からジョブデータ等の各種データとを読み出して、当該プログラム及び各種データとの協働により、複数の画像ページデータが複数の章に分けられた画像データに基づいて用紙に画像形成を行い、複数の用紙からなる章が複数構成される冊子を生成する処理を制御する。
【００６２】
制御部１１０は、本実施の形態を実現させるために、見出し付冊子生成処理プログラムとの協働により、冊子が生成される場合、当該冊子の見開き側端部に沿って付加され各章を識別する見出し画像データが付加される位置及びサイズを章の数、冊子の綴じ位置、段数に応じて章単位に設定し、設定された当該見出し画像データを画像ページデータに合成して、画像形成部４３により用紙に画像形成を行なわせる。
【００６３】
また、制御部１１０は、操作表示部３０によりユーザによって設定された見出し画像データの位置又はサイズに応じた見出し画像データを画像ページデータに合成して、画像形成部４３により用紙に画像形成を行なわせる。
【００６４】
更に、制御部１１０は、章毎の画像ページデータが画像形成される用紙の種類を、隣接する章とは異なる種類（紙種又は色）の用紙に設定し、当該設定された種類の用紙に画像形成を行なわせる。
【００６５】
不揮発メモリ１２０は、画像形成に係る各種処理プログラム及びデータの他、本実施の形態に係る見出し付冊子生成処理プログラム、見出し画像データ、当該見出し画像データの予め設定された幅の値、画像が形成された用紙Ｐに対する後処理をプリント部４０を介して後処理装置５０に対し設定するためのデータ及び各種プログラムで処理されたデータ等を記憶する。
【００６６】
ＲＡＭ１３０は、制御部１１０により実行される各種プログラム及びこれらプログラムに係るデータ、ジョブデータ等を一時的に記憶するワークエリアを形成する。
【００６７】
図１２に、ジョブデータの一例を示す。
図１２に示すように、ジョブデータ１３１は、各画像ページデータ共通のデータ（ページ共通データ１３１ａ）と、各画像ページデータのデータ（ページ別データ１３１ｂ）とから構成されている。
【００６８】
ページ共通データ１３１ａは、外部装置２や操作表示部３０から入力される指示信号に基づいて設定された各種設定条件や画像形成動作及び後処理動作の動作状態を示すデータを含む。
【００６９】
例えば、ページ共通データ１３１ａとしては、章設定画面Ｇ３の章分け設定領域Ｅ１により章が設定されたか否か（章分けの設定が有り／無しの設定）を示す章分けＤ１、章分け設定領域Ｅ１において設定された章分け数Ｎを示す章分け数Ｄ２、見出しオーバーレイ設定領域Ｅ２のＯＮボタンＢ３４ａが選択されたか又はＯＦＦボタンＢ３４ｂが選択されたかを示す見出しオーバーレイＤ３、段数設定画面Ｇ４により設定された段数Ｓを示す段数Ｄ４、章分け数Ｎを段数Ｓで割った値の商を１段あたりの配列可能な章数ＮＳとして示す１段あたりの章数Ｄ５、綴じ位置設定画面Ｇ１により設定された綴じ位置を示す綴じ位置Ｄ６を有している。
【００７０】
また、ページ共通データ１３１ａとしては、章毎に設定された、見出し画像データのｘ座標の位置を示す位置（ｘ座標）Ｄ７ａ、見出し画像データのｙ座標の位置を示す位置（ｙ座標）Ｄ７ｂ、見出し画像データの長さを示す長さＤ７ｃ、見出し画像データの幅を示す幅Ｄ７ｄを有している。
【００７１】
更に、ページ共通データ１３１ａとしては、章設定画面Ｇ３の見出しオーバーレイ設定領域Ｅ２のシフトボタンＢ３６ａが選択されたか否か（選択された場合にはＯＮ、選択されていない場合にはＯＦＦ）を示すシフトＤ８、縮小ボタンＢ３６ｂが選択されたか否か（選択された場合にはＯＮ、選択されていない場合にはＯＦＦ）を示す縮小Ｄ９、予め設定されている画像ページデータのシフト量［ｍｍ］を示すシフト量Ｄ１０、予め設定されている画像ページデータの縮小率［％］を示す縮小率Ｄ１１、断裁設定画面Ｇ２により設定された断裁処理の有無を示す断裁Ｄ１２を有する。
【００７２】
ページ共通データ１３１ａとしては、章設定画面Ｇ３の用紙変更領域Ｅ３のＯＮボタンＢ３７ａが選択されたか又はＯＦＦボタンＢ３７ｂが選択されたかを示す章単位用紙変更Ｄ１３を有し、また、章毎に設定された、用紙の紙種を示す紙種Ｄ１４ａ、用紙の色を示す色Ｄ１４ｂを有する。
【００７３】
ページ別データ１３１ｂは、読み込まれた画像データを構成する各画像ページデータに識別番号（例えば、ページ１、ページ２・・・）が付され、個別に記憶される。各画像ページデータは、当該画像ページデータが格納されている画像メモリ１７０上のアドレスを示す画像格納アドレスＤ２１と、章分け設定領域Ｅ１により設定された章を識別する番号（章番号）を示す章番号Ｄ２２及等から構成される。
【００７４】
読取処理部１４０は、画像読取部２０の画像読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００７５】
圧縮ＩＣ１５０は、入力されたデジタル画像データに圧縮処理を施してＤＲＡＭ制御ＩＣ１６０に出力する。
【００７６】
ＤＲＡＭ制御ＩＣ１６０は、制御部１１０からの指示に従って、圧縮ＩＣ１５０による画像データの圧縮処理及び伸長ＩＣ１８０による圧縮画像データの伸長処理を制御するとともに、画像メモリ１７０への画像データの入出力制御を行う。例えば、画像読取部２０により読み取られた画像信号の保存が指示されると、読取処理部１４０から入力された画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された画像データのプリント出力が指示されると、ページメモリ１７２から画像データを読み出して書込処理部１９０に出力する。
【００７７】
画像メモリ１７０は、ＤＲＡＭ（Dynamic RAM）から構成される圧縮メモリ１７１とページメモリ１７２とを備える。圧縮メモリ１７１は、圧縮画像データを格納するためのメモリであり、ページメモリ１７２は、プリント出力用の画像データ（プリントデータ）を一時的に格納するためのメモリである。
【００７８】
伸長ＩＣ１８０は、入力される圧縮画像データに伸長処理を施す。
【００７９】
書込処理部１９０は、ＤＲＡＭ制御ＩＣ１６０から入力された画像データに基づいて、画像形成のためのプリントデータを生成し、プリント部４０に出力する。
【００８０】
画像読取部２０は、ＣＣＤ２２ａ、画像読取制御部２００、その他ここでは図示しないが図１に示した自動原稿送り部２１、読取部２２等から構成される。画像読取制御部２００は、自動原稿送り部２１、読取部２２等を制御して、原稿面の露光走査を実行させ、光の反射光をＣＣＤ２２ａにより光電変換を行わせて画像を読み取る。読み取られたアナログ画像信号は読取処理部１４０に出力される。
【００８１】
操作表示部３０は、ＬＣＤ（Liquid Crystal Display）、ＬＣＤを覆うように設けられたタッチパネル３１、操作表示制御部３００、その他図示しないテンキー等の操作キー群から構成される。操作表示制御部３００は、制御部１１０から入力される表示信号に従って、各種設定条件を入力するための各種設定画面、図３〜１１に示すような各種画面や各種処理結果等をＬＣＤに表示させる。また、操作表示制御部３００は、操作キー群又はタッチパネル３１から入力される操作信号を制御部１１０に出力する。
【００８２】
プリント部４０は、図１に示した画像形成部４３等のプリント出力に係る各部やプリント制御部４００を備えて構成される。プリント制御部４００は、制御部１１０からの指示に従って画像形成部４３等のプリント部４０の各部の動作を制御し、書込処理部１９０から入力されたプリントデータに基づいて用紙Ｐに画像形成を行わせると共に、制御部１１０からの指示に従って後処理装置５０の各部を動作させる指示信号を後処理制御部５００に出力する。
【００８３】
次に、プリンタコントローラ１ｂの各部について説明する。プリンタコントローラ１ｂは、画像形成装置１をネットワークプリンタとして使用する場合に、ネットワーク３に接続される外部装置２から画像形成装置１に入力されるジョブの管理及び制御を行うものであり、外部装置２からプリント対象のデータを受信し、当該データをジョブデータとして本体部１ａへ送信する。
【００８４】
プリンタコントローラ１ｂは、コントローラ制御部１１、ＤＲＡＭ制御ＩＣ１２、画像メモリ１３、ＬＡＮＩＦ１４から構成される。
【００８５】
コントローラ制御部１１は、プリンタコントローラ１ｂ各部の動作を統括的に制御し、ＬＡＮＩＦ１４を介して、外部装置２から入力されるデータをジョブとして本体部１ａへ送信する。
【００８６】
ＤＲＡＭ制御ＩＣ１２は、ＬＡＮＩＦ１４により受信されたデータの画像メモリ１３への格納や、画像メモリ１３からのデータの読み出しを制御する。また、ＤＲＡＭ制御ＩＣ１２は、画像制御基板１００のＤＲＡＭ制御ＩＣ１６０とＰＣＩ（Peripheral Components Interconnect）バスで接続されており、コントローラ制御部１１からの指示に従って、プリント対象のデータを画像メモリ１３から読み出してＤＲＡＭ制御ＩＣ１６０に出力する。
【００８７】
画像メモリ１３は、ＤＲＡＭから構成され、入力された出力データを一時的に格納する。
【００８８】
ＬＡＮＩＦ１４は、ＮＩＣ（Network Interface Card）やモデム等のＬＡＮ等のネットワーク３に接続するための通信インターフェイスであり、外部装置２からデータを受信する。受信されたデータは、ＤＲＡＭ制御ＩＣ１２に出力される。
【００８９】
後処理装置５０は、ソート部（不図示）、パンチ部（不図示）、ステイプル部、折り部、断裁部等の各種後処理ユニットと、各種後処理ユニットへ用紙を搬送する搬送ローラ等の搬送手段が設けられており、各種後処理ユニットは後処理制御部５００により統括的に制御されている。後処理制御部５００は、制御部１１０からプリント制御部４００を介して入力される後処理の指示信号に応じて、用紙Ｐを搬送経路に沿って所定の処理ユニットに搬送し、各部を駆動制御して用紙Ｐに所定の後処理を行わせ、所定の排出トレイに排出する制御を行う。
【００９０】
次に、本実施の形態の動作を説明する。
図１３、１４に、本実施の形態における見出し付冊子生成処理のフローチャートを示す。図１３、１４に示すフローチャートは、制御部１１０によって実行される処理である。
【００９１】
制御部１１０は、まず、操作表示部３０からの指示に応じて綴じ位置設定処理を実行する（ステップＳ１）。綴じ位置設定処理は、操作表示部３０のＬＣＤ上に綴じ位置設定画面Ｇ１を表示させ、綴じ位置設定画面Ｇ１により設定された綴じ位置をジョブデータの綴じ位置Ｄ６に設定する処理である。
【００９２】
また制御部１１０は、操作表示部３０からの指示に応じて断裁設定処理を実行する（ステップＳ２）。断裁設定処理は、操作表示部３０のＬＣＤ上に断裁設定画面Ｇ２を表示させ、断裁設定画面Ｇ２により設定された断裁処理の有無をジョブデータの断裁Ｄ１２に設定する処理である。
【００９３】
制御部１１０は、操作表示部３０からの指示に応じて章分け設定処理を実行する（ステップＳ３）。章分け設定処理は、操作表示部３０のＬＣＤ上に章設定画面Ｇ３を表示させ、章分け設定領域Ｅ１により各章の先頭ページの設定指示を受け付け、受け付けられた先頭ページに基づいて画像データを複数の章に分ける設定を行う処理である。
なお、ステップＳ１〜３の順番はこれに限らない。
【００９４】
制御部１１０は、操作表示部３０のＬＣＤ上に表示されている章設定画面Ｇ３において、章分け設定領域Ｅ１により章分けの設定が行なわれ、かつ、見出しオーバーレイ設定領域Ｅ２のＯＮボタンＢ３４ａが選択されているか否か、即ち、ジョブデータの章分けＤ１が有り、かつ、見出しオーバーレイＤ３がＯＮであるか否かを判定する（ステップＳ４）。
【００９５】
制御部１１０は、章分け設定領域Ｅ１により章分けの設定が行なわれず、又は、見出しオーバーレイ設定領域Ｅ２のＯＮボタンＢ３４ａが選択されていない場合（ステップＳ４；Ｎｏ）、他の処理に移行し、本処理を終了する。
【００９６】
制御部１１０は、章分け設定領域Ｅ１により章分けの設定が行なわれ、かつ、見出しオーバーレイ設定領域Ｅ２のＯＮボタンＢ３４ａが選択されている場合（ステップＳ４；Ｙｅｓ）、見出し画像データを画像ページデータに合成する際の位置を、設定された段数、章数、綴じ位置等に応じて設定するか否か、即ち、見出しオーバーレイ設定領域Ｅ２の自動合成ボタンＢ３５ａが選択されたか否かを判定する（ステップＳ６）。
【００９７】
制御部１１０は、見出しオーバーレイ設定領域Ｅ２の自動合成ボタンＢ３５ａが選択された場合（ステップＳ６；Ｙｅｓ）、段数Ｓの設定処理を実行する（ステップＳ７）。段数Ｓの設定処理は、操作表示部３０のＬＣＤ上に段数設定画面Ｇ４を表示させ、操作表示部３０から段数Ｓの設定指示を受け付け、受け付けられた段数Ｓをジョブデータの段数Ｄ４に設定する処理である。
【００９８】
制御部１１０は、ステップＳ１において設定された綴じ位置に基づいて、見出し画像データを配列する用紙の辺の長さ（以下、配置可能辺長さＡ）を設定する（ステップＳ８）。ステップＳ８における処理は、例えば、綴じ位置が右又は左綴じである場合には、用紙のサイズをｘｙ座標の原点（０、０）を基準として設定した際におけるｙ座標の最大値Ｙ、綴じる位置が上綴じである場合にはｘ座標の最大値Ｘ、を配置可能辺長さＡとして設定する。即ち、原点（０、０）と対角線上にある用紙の角の座標（Ｘ、Ｙ）のｙ座標の値Ｙを右又は左綴じである場合の配置可能辺長さＡ、ｘ座標の値Ｘを上綴じである場合の配置可能辺長さＡ、として設定する。
【００９９】
制御部１１０は、ジョブデータを参照して、綴じ位置、設定された章分け数Ｎ、段数Ｓ、配置可能辺長さＡ、予め不揮発メモリ１２０に設定されている綴じ位置に応じた基準位置座標に基づいて、各章の位置を設定する章単位位置設定処理を実行する（ステップＳ９）。
【０１００】
章単位位置設定処理は、まず、章分け数Ｎと段数Ｓとにより１段あたりの章数ＮＳを算出し、当該算出した１段あたりの章数ＮＳをジョブデータのＤ５に設定する。
【０１０１】
そして、ジョブデータを参照して、配置可能辺長さＡと１段あたりの章数ＮＳとに基づいて見出し画像データの最大長さ（以下、最大長さＭＷ）を算出する。本実施の形態における最大長さＭＷは、冊子の見開き端部の辺に沿って均等に見出し画像データを付加するものとして算出することとし、配置可能辺長さＡを１段あたりの章数ＮＳで割った値を求めることにより算出できる。従って、本実施の形態においては、見開き端部に沿って均等に見出し画像データを付加する場合には、段数が少ない場合（例えば１段）には段数が多い（例えば２段）よりも１段あたりの章数ＮＳが多く算出されるため、段数が少ない場合（例えば１段）には段数が多い（例えば２段）よりも最大長さＭＷが短く算出される。
【０１０２】
算出された最大長さＭＷ、綴じ位置、基準位置座標に基づいて各章の見出し画像データの位置を設定し、設定した各章の見出し画像データの位置（ｘ座標、ｙ座標）をジョブデータの位置（ｘ座標）Ｄ７ａ、位置（ｙ座標）Ｄ７ｂに設定する。
【０１０３】
図１５に、綴じ位置に応じた基準位置座標の例を示す。なお、斜線部は見出し画像データに基づいて見出し画像４が形成される領域を示す。
図１５に示すように、用紙の一角をｘｙ座標の原点Ｐ０（０、０）に設定して用紙のサイズをｘｙ座標上に設定した場合、ｘ座標上の角の位置はＰ１（Ｘ、０）、ｙ座標上の角の位置はＰ２（０、Ｙ）、原点と対角線上に位置する角の位置はＰ３（Ｘ、Ｙ）となる。
【０１０４】
図１５において、ｘ座標の値が小さくなる方向を右方向、ｘ座標の値が大きくなる方向を左方向とし、ｙ座標の値が小さくなる方向を下方向、ｙ座標の値が大きくなる方向を上方向とする。この場合、見出し画像データの基準位置座標は、綴じ位置が右綴じの場合にはＰ２（０、Ｙ）、左綴じの場合にはＰ３（Ｘ、Ｙ）、上綴じの場合にはＰ０（０，０）が設定されているものとする。
【０１０５】
図１５に示すような綴じ位置に応じた基準位置座標と、最大長さＭＷ、綴じ位置に基づいて各章の見出し画像データの位置が設定される。例えば、左綴じの場合、見出し画像データの位置は、左綴じとは対向する位置（右綴じ）の端部の辺に見出し画像データを付加するものとし、第１章の見出し画像データの位置（ｘ１、ｙ１）は（ｘ１＝Ｘ、ｙ１＝Ｙ）、第２章の見出し画像データの位置（ｘ２、ｙ２）は（ｘ２＝Ｘ、ｙ２＝Ｙ−ＭＷ）、第ｎ章の見出し画像データの位置（ｘｎ、ｙｎ）は（ｘｎ＝Ｘ、ｙｎ＝Ｙ−（ＭＷ×（ｎ−１）））のように設定される。即ち、左綴じの場合の各章の見出し画像データの位置は、ｘ座標は基準位置座標のｘ座標の値Ｘ、ｙ座標の値はｙ座標の基準位置座標Ｙから順次最大長さＭＷを減じた値、に設定することができる。
【０１０６】
右綴じの場合には、見出し画像データの位置は、右綴じとは対向する位置（左綴じ）の端部の辺に見出し画像データを付加するものとし、第１章の見出し画像データの位置（ｘ１、ｙ１）は（ｘ１＝０、ｙ１＝Ｙ）、第２章の見出し画像データの位置（ｘ２、ｙ２）は（ｘ２＝０、ｙ２＝Ｙ−ＭＷ）、第ｎ章の見出し画像データの位置（ｘｎ、ｙｎ）は（ｘｎ＝０、ｙｎ＝Ｙ−（ＭＷ×（ｎ−１）））のように設定される。即ち、左綴じの場合と同様に、右綴じの場合の各章の見出し画像データの位置は、ｘ座標は基準位置座標のｘ座標の値０、ｙ座標の値はｙ座標の基準位置座標Ｙから順次、最大長さＭＷを減じた値、に設定することができる。
【０１０７】
上綴じの場合には、見出し画像データの位置は、上綴じとは対向する位置（下）の端部の辺に見出し画像データを付加するものとし、第１章の見出し画像データの位置（ｘ１、ｙ１）は（ｘ１＝０、ｙ１＝０）、第２章の見出し画像データの位置（ｘ２、ｙ２）は（ｘ２＝ＭＷ、ｙ２＝０）、第ｎ章の見出し画像データの位置（ｘｎ、ｙｎ）は（ｘｎ＝ＭＷ×（ｎ−１）、ｙｎ＝０）のように設定される。即ち、上綴じの場合の見出し画像データの位置は、ｙ座標は基準位置座標のｙ座標の値０、ｘ座標の値はｘ座標の基準位置座標０から順次最大長さＭＷを加えた値、に設定することができる。
【０１０８】
このように、ステップＳ８において、綴じ位置に応じて見出し画像データを配置する辺の長さ（配置可能辺長さＡ）を設定することができる。そして、ステップＳ９において、綴じ位置に応じて設定された配置可能辺長さＡと章分け数と段数とに基づいて見出し画像データのサイズ（見出し画像データの長さ＝最大長さＭＷ）を設定することができると共に、綴じ位置に応じて綴じ位置とは対向する位置の端部に各章の見出し画像データの位置を設定することができる。
【０１０９】
制御部１１０は、ステップＳ９において算出された最大長さＭＷと、予め不揮発メモリ１２０に設定されている幅とを各章の見出し画像データのサイズ（長さ、幅）として設定し、設定した各章の見出し画像データのサイズ（長さ、幅）をジョブデータの長さＤ７ｃ、幅Ｄ７ｄに設定する（ステップＳ１０）。
【０１１０】
制御部１１０は、見出しオーバーレイ設定領域Ｅ２の自動合成ボタンＢ３５ａが選択されず、手動合成ボタンＢ３５ｂが選択された場合（ステップＳ６；Ｎｏ）、操作表示部３０のＬＣＤ上に見出し画像手動設定画面Ｇ５を表示させ、各章の見出し画像データの位置及びサイズの設定を受け付け（ステップＳ１１）、受け付けた各章の見出し画像データの位置及びサイズをジョブデータの位置（ｘ座標）Ｄ７ａ、位置（ｙ座標）Ｄ７ｂ、長さＤ７ｃ、幅Ｄ７ｄに設定する（ステップＳ１２）。
【０１１１】
制御部１１０は、ステップＳ１０後又はステップＳ１２後、見出し画像データを画像ページデータに合成する際、見出し画像データの周辺に予め設定されている余白部分が不足している場合の対応として、見出しオーバーレイ設定領域Ｅ２のシフトボタンＢ３６ａ又は縮小ボタンＢ３６ｂが選択されているか否かを判定する（ステップＳ１３）。
【０１１２】
制御部１１０は、見出しオーバーレイ設定領域Ｅ２のシフトボタンＢ３６ａ及び縮小ボタンＢ３６ｂが選択されていない場合（ステップＳ１３；Ｎｏ）、ステップＳ２０に進む。
【０１１３】
制御部１１０は、見出しオーバーレイ設定領域Ｅ２のシフトボタンＢ３６ａ又は縮小ボタンＢ３６ｂが選択されている場合（ステップＳ１３；Ｙｅｓ）、シフトボタンＢ３６ａ及び縮小ボタンＢ３６ｂが選択されているか否か、即ち、見出し画像データを画像ページデータに合成した際、見出し画像データの周辺に予め設定されている余白部分が不足している場合には画像ページデータを縮小及びシフトさせるか否かの指示がされているかの判定を行なう（ステップＳ１４）。
【０１１４】
制御部１１０は、シフトボタンＢ３６ａ及び縮小ボタンＢ３６ｂが選択されている場合（ステップＳ１４；Ｙｅｓ）、見出し画像データを画像ページデータに合成した際、見出し画像データの周辺に予め設定されている余白部分が不足している場合には画像ページデータを縮小及びシフトさせる縮小シフト処理を実行させる設定として、ジョブデータのシフトＤ８、縮小Ｄ９をＯＮに設定する（ステップＳ１５）。
【０１１５】
制御部１１０は、シフトボタンＢ３６ａ及び縮小ボタンＢ３６ｂが選択されていない場合（ステップＳ１４；Ｎｏ）、シフトボタンＢ３６ａが選択されているか否か、即ち、見出し画像データを画像ページデータに合成した際、見出し画像データの周辺に予め設定されている余白部分が不足している場合には画像ページデータをシフトさせるか否かの指示がされているかの判定を行なう（ステップＳ１６）。
【０１１６】
制御部１１０は、シフトボタンＢ３６ａが選択されている場合（ステップＳ１６；Ｙｅｓ）、見出し画像データを画像ページデータに合成する際、見出し画像データの周辺に予め設定されている余白部分が不足している場合には画像ページデータをシフトさせるシフト処理を実行させる設定として、ジョブデータのシフトＤ８をＯＮ、縮小Ｄ９をＯＦＦに設定する（ステップＳ１７）。
【０１１７】
制御部１１０は、シフトボタンＢ３６ａが選択されていない場合（ステップＳ１６；Ｎｏ）、縮小ボタンＢ３６ｂが選択されているか否か、即ち、見出し画像データを画像ページデータに合成する際、見出し画像データの周辺に予め設定されている余白部分が不足している場合には画像ページデータを縮小させるか否かの指示がされているかの判定を行なう（ステップＳ１８）。
【０１１８】
制御部１１０は、縮小ボタンＢ３６ｂが選択されている場合（ステップＳ１８；Ｙｅｓ）、見出し画像データを画像ページデータに合成する際、見出し画像データの周辺に予め設定されている余白部分が不足している場合には画像ページデータを縮小させる縮小処理を実行させる設定として、ジョブデータのシフトＤ８をＯＦＦ、縮小Ｄ９をＯＮに設定する（ステップＳ１９）。
【０１１９】
制御部１１０は、縮小ボタンＢ３６ｂが選択されていない場合（ステップＳ１８；Ｎｏ）、ステップＳ２０に進む。
【０１２０】
シフト処理とは、見出し画像データを画像ページデータに合成する際、見出し画像データの周辺に予め設定されている余白部分が不足している場合、画像ページデータを綴じ位置の方向にジョブデータに予め設定されているシフト量Ｄ１０が示す値だけ移動させ、再度、見出し画像データの周辺に予め設定されている余白部分が不足しているか否かを判定し、当該判定結果に応じて、再度、画像ページデータをシフト量Ｄ１０が示す値だけ移動させ、見出し画像データの周辺に予め設定されている余白部分が確保されるまで移動を繰り返す処理である。
【０１２１】
縮小処理とは、見出し画像データを画像ページデータに合成する際、見出し画像データの周辺に予め設定されている余白部分が不足している場合、画像ページデータをジョブデータに予め設定されている縮小率Ｄ１１が示す値だけ縮小させ、再度、見出し画像データの周辺に予め設定されている余白部分が不足しているか否かを判定し、当該判定結果に応じて、再度、画像ページデータを縮小率Ｄ１１が示す値だけ縮小させ、見出し画像データの周辺に予め設定されている余白部分が確保されるまで縮小を繰り返す処理である。
【０１２２】
縮小シフト処理とは、まず、シフト処理を実行し、見出し画像データの周辺に予め設定されている余白部分が確保されるまで移動を繰り返す。そして、移動された画像ページデータが用紙上の画像形成可能な範囲から外れているか否かを判定し、シフト処理により移動された画像ページデータの一部が用紙上の画像形成可能範囲外である場合には縮小処理を実行し、画像ページデータが用紙上の画像形成可能範囲内になるまで縮小を繰り返す処理である。
【０１２３】
なお、シフト処理、縮小処理、縮小シフト処理における余白部分の有無の判定は、黒画素の有無や周知の画像処理技術を用いることで判定することができるため、詳細な説明は省略する。
【０１２４】
制御部１１０は、ステップＳ１３；Ｎｏ、ステップＳ１５、ステップＳ１７、ステップＳ１８；Ｎｏ又はステップＳ１９、のいずれかの後、章設定画面Ｇ３において、用紙変更領域Ｅ３のＯＮボタンＢ３７ａが選択されているか否か、即ち、ジョブデータの章単位用紙変更Ｄ１３がＯＮであるか否かを判定する（ステップＳ２０）。
【０１２５】
制御部１１０は、用紙変更領域Ｅ３のＯＮボタンＢ３７ａが選択されていない場合（ステップＳ２０；Ｎｏ）、ステップＳ２５に進む。
【０１２６】
制御部１１０は、用紙変更領域Ｅ３のＯＮボタンＢ３７ａが選択されている場合（ステップＳ２０；Ｙｅｓ）、各章の画像ページデータを形成する用紙の種類の設定は、設定される給紙トレイに応じて設定するか否か、即ち、用紙変更領域Ｅ３の自動変更ボタンＢ３８ａが選択されたか否かを判定する（ステップＳ２１）。
【０１２７】
制御部１１０は、用紙変更領域Ｅ３の自動変更ボタンＢ３８ａが選択された場合（ステップＳ２１；Ｙｅｓ）、使用する種類の用紙が格納されている給紙トレイの設定処理（使用用紙設定処理）を実行する（ステップＳ２２）。使用用紙設定処理は、操作表示部３０のＬＣＤ上に使用トレイ設定画面Ｇ８を表示させ、使用トレイ設定画面Ｇ８上において選択されたトレイボタンＢ８１ａに対応する給紙トレイに格納されている種類の用紙を画像ページデータが形成される用紙として設定する処理である。
【０１２８】
制御部１１０は、ステップＳ２２において設定された種類の用紙（給紙トレイ）に基づいて、各章の画像ページデータが形成される用紙の種類を設定する章単位用紙設定処理を実行する（ステップＳ２３）。章単位用紙設定処理は、隣接する章の画像ページデータが形成される用紙の種類が、異なる用紙の種類となるように設定し（例えば、章毎に先頭の章から順次設定された種類の用紙（給紙トレイ）を割り振り）、設定された各章の画像ページデータが形成される用紙の種類（給紙トレイ）を示す紙種及び色をジョブデータの紙種Ｄ１４ａ、色Ｄ１４ｂに設定する処理である。
【０１２９】
制御部１１０は、用紙変更領域Ｅ３の自動変更ボタンＢ３８ａが選択されず、手動変更ボタンＢ３８ｂが選択された場合（ステップＳ２１；Ｎｏ）、章単位での用紙設定処理を実行する（ステップＳ２４）。章単位での用紙設定処理は、操作表示部３０のＬＣＤ上に表示されている章設定画面Ｇ３の用紙変更領域Ｅ３における章単位変更ボタン群Ｂ３９を選択可能にし、いずれかの章単位変更ボタンＢ３９ａが選択されると、選択された章単位変更ボタンＢ３９ａに対応する章単位用紙設定画面Ｇ９を表示させ、各章の画像ページデータが形成される用紙の種類を示す紙種又は色の設定を受け付け、受け付けられた各章の画像ページデータが形成される用紙の紙種又は色をジョブデータの紙種Ｄ１４ａ、色Ｄ１４ｂに設定する処理である。
【０１３０】
従ってステップＳ１〜Ｓ２４により、ジョブデータのページ共通データ１３１ａが設定されることとなる。
【０１３１】
制御部１１０は、ステップＳ２０；Ｎｏ、ステップＳ２３又はステップＳ２４のいずれかの後、複数の画像ページデータから成る画像データを取得し、取得した画像データを構成する各画像ページデータに識別番号を付して個別に画像メモリ１７０に記憶し、各画像ページデータが格納されている画像メモリ１７０上のアドレスと章番号とをジョブデータの画像格納アドレスＤ２１、章番号Ｄ２２に設定する（ステップＳ２５）。なお、画像データは、ネットワーク３を介して接続された外部装置２から取得したり、画像読取部２０から取得したりされる。
【０１３２】
制御部１１０は、ジョブデータに基づいて、取得した画像データの各画像ページデータと見出し画像データとの合成処理を実行する（ステップＳ２６）。合成処理は、ジョブデータに基づいて、各画像ページデータに章毎に設定された位置及びサイズの見出し画像データを合成し、見出し画像データの周辺に予め設定された余白部分が不足しているか否かを判定し、当該判定結果に応じてジョブデータに設定されている縮小又はシフト処理を実行し、複数のプリントページデータからなるプリントデータを生成する処理である。
【０１３３】
制御部１１０は、ジョブデータに基づいて、プリント部４０に対して章毎に設定された種類の用紙が格納されている給紙トレイから用紙を給紙させ、給紙された用紙にプリントデータに基づく画像形成を行なわせ、後処理装置５０に排出させる（ステップＳ２７）。
【０１３４】
制御部１１０は、断裁処理が有りに設定されているか否か、即ち、ジョブデータの断裁Ｄ１２は有りか否かを判定し（ステップＳ２８）、断裁処理が有りに設定されている場合（ステップＳ２８；Ｙｅｓ）、後処理装置５０に対して排出された用紙の束に断裁処理を実行させ（ステップＳ２９）、本処理を終了する。
【０１３５】
制御部１１０は、断裁処理が無しに設定されている場合（ステップＳ２８；Ｎｏ）、本処理を終了する。
【０１３６】
本実施の形態によれば、冊子の見開き側端部に沿って付加され各章を識別する見出し画像データの位置及びサイズを、章の数、綴じ位置、段数に基づいて章単位に設定し、設定された当該見出し画像データを画像ページデータに合成して画像形成部により用紙に画像形成を行なわせることができるため、一見したときの章毎の判別性が向上された章分けされた冊子を生成することができる。
【０１３７】
また、各章を識別する見出し画像データの位置又はサイズの設定を章単位に指示する見出し画像手動設定画面Ｇ５により、ユーザが章単位で任意の位置及びサイズの見出し画像データを設定することができる。
【０１３８】
また、本発明は、上記実施の形態の内容に限定されるものではなく、本発明の主旨を逸脱しない範囲で適宜変更可能である。
【図面の簡単な説明】
【０１３９】
【図１】画像形成装置の概略断面構成図である。
【図２】画像形成装置の制御ブロック図である。
【図３】綴じ位置設定画面の例を示す図である。
【図４】断裁設定画面の例を示す図である。
【図５】章設定画面の例を示す図である。
【図６】図６（ａ）は段数設定画面の例を示す図、図６（ｂ）、（ｃ）は冊子の側面図の例を示す図である。
【図７】見出し画像手動設定画面の例を示す図である。
【図８】位置設定画面の例を示す図である。
【図９】サイズ設定画面の例を示す図である。
【図１０】使用トレイ設定画面の例を示す図である。
【図１１】章単位用紙設定画面の例を示す図である。
【図１２】ジョブデータの一例を示す図である。
【図１３】見出し付冊子生成処理のフローチャートを示す図である。
【図１４】見出し付冊子生成処理のフローチャートを示す図である（図１３の続き）。
【図１５】綴じ位置に応じた基準位置座標の例を示す図である。
【符号の説明】
【０１４０】
１  画像形成装置
１ａ  本体部
１ｂ  プリンタコントローラ
２  外部装置
３  ネットワーク
４  見出し画像
１１  コントローラ制御部
１２  ＤＲＡＭ制御ＩＣ
１３  画像メモリ
１４  ＬＡＮＩＦ
２０  画像読取部
２１  自動原稿送り部
２２  読取部
２２ａ  ＣＣＤ
３０  操作表示部
３１  タッチパネル
４０  プリント部
４１  給紙部
４１ａ  給紙トレイ
４１ｂ  給紙手段
４２  給紙搬送部
４２ａ  レジストローラ
４３  画像形成部
４３ａ  転写装置
４３ｂ  定着装置
４４  搬出部
５０  後処理装置
１００  画像制御基板
１１０  制御部
１２０  不揮発メモリ
１３０  ＲＡＭ
１３１  ジョブデータ
１３１ａ  ページ共通データ
１３１ｂ  ページ別データ
１４０  読取処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
２００  画像読取制御部
３００  操作表示制御部
４００  プリント制御部
５００  後処理制御部
Ｂ１１  上綴じボタン
Ｂ１２  右綴じボタン
Ｂ１３  左綴じボタン
Ｂ１４  キャンセルボタン
Ｂ１５  ＯＫボタン
Ｂ２１  否断裁ボタン
Ｂ２２  断裁ボタン
Ｂ２３  キャンセルボタン
Ｂ２４  ＯＫボタン
Ｂ３１ａ  章分けボタン
Ｂ３１  章分けボタン群
Ｂ３２  削除ボタン
Ｂ３３  設定ボタン
Ｂ３４ａ  ＯＮボタン
Ｂ３４ｂ  ＯＦＦボタン
Ｂ３５ａ  自動合成ボタン
Ｂ３５ｂ  手動合成ボタン
Ｂ３６ａ  シフトボタン
Ｂ３６ｂ  縮小ボタン
Ｂ３７ａ  ＯＮボタン
Ｂ３７ｂ  ＯＦＦボタン
Ｂ３８ａ  自動変更ボタン
Ｂ３８ｂ  手動変更ボタン
Ｂ３９ａ  章単位変更ボタン
Ｂ３９  章単位変更ボタン群
Ｂ４１  段数設定ボタン
Ｂ４２  キャンセルボタン
Ｂ４３  ＯＫボタン
Ｂ５１ａ  章ボタン
Ｂ５１  章ボタン群
Ｂ５２  位置変更ボタン
Ｂ５３  サイズ変更ボタン
Ｂ６１ａ  ｘ座標設定ボタン
Ｂ６１ｂ  ｙ座標設定ボタン
Ｂ６２  キャンセルボタン
Ｂ６３  ＯＫボタン
Ｂ７１ａ  長さ設定ボタン
Ｂ７１ｂ  幅設定ボタン
Ｂ７２  キャンセルボタン
Ｂ７３  ＯＫボタン
Ｂ８１ａ  トレイボタン
Ｂ８１  トレイボタン群
Ｂ８２  キャンセルボタン
Ｂ８３  ＯＫボタン
Ｂ９１  紙種選択ボタン
Ｂ９２  色選択ボタン
Ｂ９３  キャンセルボタン
Ｂ９４  ＯＫボタン
ｄ  原稿
Ｅ１  章分け設定領域
Ｅ２  見出しオーバーレイ設定領域
Ｅ２１  段数表示領域
Ｅ３  用紙変更領域
Ｅ５１  位置表示領域
Ｅ５２  サイズ表示領域
Ｅ５３  表示領域
Ｇ１  綴じ位置設定画面
Ｇ２  断裁設定画面
Ｇ３  章設定画面
Ｇ４  段数設定画面
Ｇ５  見出し画像手動設定画面
Ｇ６  位置設定画面
Ｇ７  サイズ設定画面
Ｇ８  使用トレイ設定画面
Ｐ  用紙
Ｔ１  原稿トレイ
Ｔ２  手差しトレイ
Ｔ３  排紙トレイ
【図１】
2008268750.tif 000003
【図２】
2008268750.tif 000004
【図３】
2008268750.tif 000005
【図４】
2008268750.tif 000006
【図５】
2008268750.tif 000007
【図６】
2008268750.tif 000008
【図７】
2008268750.tif 000009
【図８】
2008268750.tif 000010
【図９】
2008268750.tif 000011
【図１０】
2008268750.tif 000012
【図１１】
2008268750.tif 000013
【図１２】
2008268750.tif 000014
【図１３】
2008268750.tif 000015
【図１４】
2008268750.tif 000016
【図１５】
2008268750.tif 000017